(57)【特許請求の範囲】
【請求項１】
ファンの駆動により対向物に送風し、ファンの停止時に前記対向物の埃を払う装置であって、
前記ファンを駆動する駆動部と、
計測する前記ファンの駆動時間が第１の所定時間に達したときには、停止を指示する第１の信号を前記駆動部に出力する停止指示部と、
前記ファンの停止に係る所定のイベントを検出すると、前記ファンが停止する停止タイミングを決定する停止検出部と、
前記停止タイミングで、駆動再開を指示する第２の信号を前記駆動部に出力する再駆動指示部と、を備え、
前記駆動部は、前記第１の信号が入力されると前記ファンを停止し、前記第２の信号が入力されると前記ファンを再駆動する、
ことを特徴とする送風装置。
【請求項２】
前記所定のイベントは、前記停止指示部が第１の信号を出力してから前記ファンが停止するまでに発生するイベントである、
ことを特徴とする請求項１に記載の送風装置。
【請求項３】
前記所定のイベントは、前記停止指示部から前記第１の信号が出力されたことである、ことを特徴とする請求項１乃至２のいずれか１項に記載の送風装置。
【請求項４】
前記所定のイベントは、前記ファンの回転数が所定量減少したことである、
ことを特徴とする請求項１乃至２のいずれか１項に記載の送風装置。
【請求項５】
ファンの駆動により対向物に送風し、ファンの停止時に前記対向物の埃を払う装置の送風方法であって、
前記ファンを駆動する駆動ステップと、
計測する前記ファンの駆動時間が第１の所定時間に達したときには、前記ファンを停止する停止制御を行う停止ステップと、
前記ファンの停止に係る所定のイベントを検出すると、前記ファンが停止する停止タイミングを決定する停止検出ステップと、
前記停止タイミングで、前記ファンを再駆動する再駆動ステップと、を有する、
ことを特徴とする送風方法。
【請求項６】
前記所定のイベントは、前記停止制御が行われてから前記ファンが停止するまでに発生するイベントである、
ことを特徴とする請求項５に記載の送風方法。
【発明の詳細な説明】
【技術分野】
【０００１】
本発明は、送風装置、送風方法に関し、特に、対向する物に付着した埃を清掃する送風装置、送風方法に関する。
【背景技術】
【０００２】
一般的に、対向する物に付着した埃を清掃する送風装置が知られている。当該送風装置は、以下の特許文献１に開示されている。図１は、特許文献１の送風装置の構成例を示す図である。
【０００３】
特許文献１の送風装置は、図１に示されるように、データ処理装置内に備わり、対向するメッシュ９５から、データ処理装置内の空気を排気する装置である。
【０００４】
特許文献１の送風装置は、冷却ファン９１と、駆動源９２と、スプリング９３と、を備える。冷却ファン９１の先端には、ブラシ９４が列状に形成されている。ブラシ９４は、スプリング９３によって、メッシュ９５に押し付けられている。
【０００５】
特許文献１の送風装置は、作動すると、駆動源９２を用いて冷却ファン９１を回転させる。冷却ファン９１が回転すると、データ処理装置内の空気が排気される。冷却ファン９１が回転すると、ブラシ９４も一緒に回転するので、特許文献１の送風装置は、メッシュ９５に付着した埃を清掃することとなる。その後、冷却ファン９１が高速回転すると、排気の反力によって冷却ファン９１が後退し、ブラシ９４がメッシュ９５から離れる。
【０００６】
特許文献１の送風装置は、停止時には、駆動源９２を停止する。駆動源９２が停止すると、冷却ファン９１は惰性で回転する。排気の反力が弱まるので、冷却ファン９１は、やがて作動前と同じ位置に押し戻される。すなわち、冷却ファン９１は、再びメッシュ９５に押し付けられる。そのとき、ブラシ９４は、メッシュ９５上で回転し、メッシュ９５に付着した埃を清掃する。
【０００７】
上述の構成や動作の通り、特許文献１の送風装置は、作動時、若しくは停止時に、対向するメッシュ９５に付着した埃を清掃し、メッシュ９５に埃が付着し続けることを防止することができる。
【０００８】
なお、特許文献１の送風装置は、メッシュ９５ではなく、データ処理装置の電子部品に対向してもよい。その場合、特許文献１の送風装置は、対向する電子部品に、埃が付着し続けることを防止することができる。
【０００９】
特許文献２には、埃を清掃する装置ではないが、一定時間ファンを駆動して送風すると、一定時間ファンを停止して送風を止める運転動作を繰り返す扇風機（送風装置）が開示されている。
【先行技術文献】
【特許文献】
【００１０】
【特許文献１】特開平０３−２６８４８４号公報
【特許文献２】特開２０１０−２５５６０７号公報
【発明の概要】
【発明が解決しようとする課題】
【００１１】
しかし、特許文献１、２の送風装置は、対向する電子部品に埃が付着し続けることを防止すると共に、当該電子部品の発熱を十分に抑えることができないという課題があった。
【００１２】
その理由を以下に説明する。
【００１３】
まず、特許文献１の送風装置は、作動時に、冷却ファン９１を駆動させて、対向する電子部品を冷却し、停止時に、冷却ファン９１を停止することで電子部品に付着した埃を清掃する。しかし、特許文献１の送風装置が作動するタイミングや停止するタイミングについては、特許文献１に記載はなく、任意である。
【００１４】
その為、特許文献１の送風装置は、特許文献２の送風装置と同様に、一定時間冷却ファン９１を駆動すると、一定時間冷却ファン９１を停止するＯＮ／ＯＦＦ動作を繰り返す場合もありえる。ＯＮ／ＯＦＦ動作を繰り返す場合、特許文献１の送風装置は、定期的に冷却ファン９１を停止するので、電子部品を清掃し、当該電子部品に埃が付着し続けることを防止することができる。しかし、その場合、特許文献１の送風装置は、冷却ファン９１を停止してから一定時間経過しないと（一定時間経過を待たないと）、冷却ファン９１を駆動しない。一定時間経過するまでの間、電子部品に送風がされないので、特許文献１の送風装置は、電子部品の発熱を十分に抑えることができなかった。すなわち、特許文献１の送風装置は、対向する電子部品に埃が付着し続けることを防止すると共に、当該電子部品の発熱を十分抑えることができなかった。
【００１５】
特許文献２の送風装置は、対向物に埃が付着し続けるのを防止する送風装置ではないので、特許文献１の送風装置と同様の課題を有する。特許文献１、２の送風装置は、対向する電子部品に埃が付着し続けることを防止すると共に、当該電子部品の発熱を十分抑えることができないという課題があった。
【００１６】
本発明は、上記課題を解決する送風装置、送風方法を提供することを目的とする。
【課題を解決するための手段】
【００１７】
上記目的を達成するために、本発明の送風装置は、ファンの駆動により対向物に送風し、ファンの停止時に前記対向物の埃を払う装置であって、前記ファンを駆動する駆動部と、計測する前記ファンの駆動時間が第１の所定時間に達したときには、停止を指示する第１の信号を前記駆動部に出力する停止指示部と、前記ファンの停止に係る所定のイベントを検出すると、前記ファンが停止する停止タイミングを決定する停止検出部と、前記停止タイミング又は前記停止タイミング近傍で、駆動再開を指示する第２の信号を前記駆動部に出力する再駆動指示部と、を備え、前記駆動部は、前記第１の信号が入力されると前記ファンを停止し、前記第２の信号が入力されると前記ファンを再駆動する。
【００１８】
上記目的を達成するために、本発明の送風方法は、ファンの駆動により対向物に送風し、ファンの停止時に前記対向物の埃を払う装置の送風方法であって、前記ファンを駆動する駆動ステップと、計測する前記ファンの駆動時間が第１の所定時間に達したときには、前記ファンを停止する停止制御を行う停止ステップと、前記ファンの停止に係る所定のイベントを検出すると、前記ファンが停止する停止タイミングを決定する停止検出ステップと、前記停止タイミング又は前記停止タイミング近傍で、前記ファンを再駆動する再駆動ステップと、を有する。
【発明の効果】
【００１９】
本発明によれば、送風装置は、対向する物(例えば、電子部品)に埃が付着し続けることを防止すると共に、当該対向物の発熱を十分抑えることができる。
【図面の簡単な説明】
【００２０】
【図１】特許文献１の送風装置の構成例を示す図である。
【図２】本発明の第１の実施の形態における送風装置の構成例を示す図である。
【図３】本発明の第１の実施の形態における送風装置に対向する電子部品について説明する為の図である。
【図４】本発明の第１の実施の形態における送風装置に備わるファンの構成例を示す図である。
【図５】本発明の第１の実施の形態における送風装置に備わるモータ部の構成例を示す図である。
【図６】本発明の第１の実施の形態における送風装置に備わる回転監視部の構成例を示す図である。
【図７】本発明の第１の実施の形態における送風装置の動作を説明する為の図である。
【図８】本発明の第１の実施の形態における送風装置に備わるモータ部のその他の構成例を示す図である。
【図９】本発明の第２の実施の形態における送風装置の構成例を示す図である。
【図１０】本発明の第２の実施の形態における送風装置の動作を説明する為の図である。
【図１１】本発明の第３の実施の形態における送風装置の構成例を示す図である。
【図１２】本発明の第３の実施の形態における送風装置に備わる回転数カウント部の構成例を示す図である。
【図１３】本発明の第３の実施の形態における送風装置の動作を説明する為の図である。
【図１４】本発明の第４の実施の形態における送風装置の構成例を示す図である。
【発明を実施するための形態】
【００２１】
次に本発明の実施形態について、図面を参照して詳細に説明する。
【００２２】
≪第１の実施の形態≫
[概要]
第１の実施形態の送風装置は、特許文献１の送風装置と同様に、ファンの駆動により電子部品に送風し、ファンの停止時に電子部品の埃を清掃する装置である。本実施形態の送風装置は、ファンの駆動と停止（すなわち、送風による冷却と清掃）を繰り返す。
【００２３】
但し、本実施形態の送風装置は、特許文献１の送風装置のようにファン停止後、一定時間待ってファンを駆動するのではなく、ファンの停止を確認(検知)すると、直ちにファンを駆動する。これにより、本実施形態の送風装置は、電子部品に送風されない時間を最小限に収め、電子部品の発熱を十分抑える。その結果、本実施形態の送風装置は、電子部品に埃が付着し続けることを防止すると共に、電子部品の発熱を十分に抑えることができる。
【００２４】
［構成の説明］
まず、本発明の第１の実施の形態における送風装置の構成と機能について説明する。
【００２５】
図２は、本実施形態の送風装置の構成例を示す図であり、図３は、本実施形態の送風装置に対向する電子部品について説明する為の図である。
【００２６】
（１）本発明の第１の実施の形態における送風装置の構成
本実施形態の送風装置は、図２に示されるように、ファン１と、モータ部２と、制御部３と、電源４と、回転監視部５と、を備える。制御部３は、電源供給部３０とカウント部３１を備える。カウント部３１は、カウンタ３１０と記憶部３１１を備える。モータ部２は、回転軸２０を備える。
【００２７】
本実施形態の送風装置は、電子部品７１に対向する。電子部品７１は、図３に示されるように、ヒートシンクと一体となった電子部品である。
【００２８】
以下、本実施形態の送風装置の各部の構成について説明する。
【００２９】
（２）ファン１の構成
（２−１）ファン１の構成
図４は、本実施形態の送風装置に備わるファン１の構成例を示す図である。
【００３０】
ファン１は、図４の上図に示されるように、複数のプロペラ１１と、ブラシ１２と、軸受１３と、磁石１４と、を備える。
【００３１】
ファン１は、回転軸２０に嵌め込まれる。ファン１の軸受１３の内径は、回転軸２０の直径より数ミリ大きく、軸受１３と回転軸２０には潤滑油が十分に塗られている。これにより、特許文献１の冷却ファン９１と同様、ファン１は、回転軸２０に摺動自在に支持される。
【００３２】
（２−２）回転軸に摺動自在に支持されることによるファン１の動作
ファン１は、回転軸２０に摺動自在に支持されることで、特許文献１の冷却ファン９１と同様の動作を行う。すなわち、ファン１は、高速回転すると、図４の下図に示されるように、ファン１自身の風圧にて、モータ部２方向に移動する。ファン１は、回転を停止したときには、回転前の位置に戻る。戻ったときに、ブラシ１２が電子部品７１（ヒートシンク部分）に接触し、電子部品７１（ヒートシンク部分）に付着した埃を清掃する。
【００３３】
（３）モータ部２の構成
図５は、本実施形態の送風装置に備わるモータ部２の構成例を示す図である。
【００３４】
モータ部２は、図５に示されるように、一般的なモータ２１と、信号発生回路２２と、ストッパー２３〜２６と、を備える。モータ２１は、回転軸２０を備える。
【００３５】
モータ２１と信号発生回路２２は、導線を介して電源供給部３０と接続される。信号発生回路２２は、制御部３のカウント部３１と導線を介して接続される。
【００３６】
ストッパー２３、２４は、ファン１が回転軸２０上を移動してモータ部２に接触するのを抑える突起物である。ストッパー２５、２６は、移動するファン１が回転軸２０から外れるのを抑える突起物である。ストッパー２５、２６は、ファン１が回転軸２０に嵌め込まれた後に設けられてもよい。本実施形態の送風装置の製造者は、ファン１を回転軸２０に嵌め込んだ後、はんだ付けによりストッパー２５、２６を回転軸２０に接着してもよい。
【００３７】
なお、図示していないが、ストッパー２３、２４は、回転軸２０に嵌め込まれたファン１をストッパー２５、２６に押し付けるバネを備えるものとする。ファン１が停止しているときにはファン１をストッパー２５、２６側に移動させる為である。当該バネの弾性力は、ファン１の風圧よりも弱い。
【００３８】
（４）制御部３の構成
制御部３は、モータ部２の駆動及び駆動停止を制御する機能部であり、上述の「（１）本発明の第１の実施の形態における送風装置の構成」で説明した通り、電源供給部３０と、カウント部３１と、を備える。
【００３９】
制御部３の機能の詳細については、電源供給部３０とカウント部３１の機能も含め、後述の［動作の説明］にて説明する。
【００４０】
（５）電源４について
電源４は、一般的な直流電源であり、導線を介して制御部３に接続される。
【００４１】
（６）回転監視部５の構成
図６は、本実施形態の送風装置に備わる回転監視部５の構成例を示す図である。
【００４２】
回転監視部５は、ファン１の回転停止を検知する機能部であり、図６に示されるように、磁気センサ５１と、マイコン５２と、を備える。
【００４３】
磁気センサ５１は、ファン１と共に回転する磁石１４が最も接近したときに、磁石１４から磁気を受ける位置に備わる。磁気センサ５１は、マイコン５２と接続される。
【００４４】
磁気センサ５１、及びマイコン５２の機能については、後述の［動作の説明］で詳細に説明する。
【００４５】
（７）各部位の実現手段
ファン１は、一般的なプロペラ、軸受、ブラシ、及び磁石を用いて実現できる。ブラシは、オレフィン系の不織布であってもよい。モータ部２は、一般的なモータと、金属素材と、バネと、電子回路を用いて実現することができる。金属素材はストッパー用である。
【００４６】
制御部３は、電子回路とＲＡＭ（Ｒａｎｄｏｍ  Ａｃｃｅｓｓ  Ｍｅｍｏｒｙ）等のメモリを用いて実現することができる。電源４は、一般的な電源を用いて実現することができる。回転監視部５は、一般的な磁気センサ、マイコン、電子回路、及び電圧計を用いて実現することができる。
【００４７】
［動作の説明］
図７は、本発明の第１の実施の形態における送風装置の動作を説明する為の図である。図７を用いて、本実施形態の送風装置の詳細な動作を以下に説明する。なお、本実施形態の送風装置のファン１は、図４の下図に示されるように、ブラシ１２が電子部品７１（ヒートシンク部分）に接触しているものとする。
【００４８】
（１）ファン１の駆動
（動作概略）
まず、本実施形態の送風装置は、電源４から電源が供給されると、ファン１を駆動する。その為に、本実施形態の送風装置の制御部３とモータ部２が、以下の（動作詳細）に示す動作を行う。
【００４９】
（動作詳細）
まず、本実施形態の送風装置は、電源スイッチを備え、当該スイッチがＯＮされると、電源４から制御部３に直流電流が供給される。制御部３は、直流電流を供給されると、電源供給部３０とカウント部３１を起動する。
【００５０】
制御部３のカウント部３１は、起動すると、図７に示されるように、カウンタ３１０の値を０に初期化する（Ｓ１）。
【００５１】
さらに、制御部３のカウント部３１は、ファン１を駆動する為、供給開始を示す信号を電源供給部３０に出力する（Ｓ２）。電源供給部３０は、図２に示されるように、カウント部３１に接続する機能部である。
【００５２】
次に、図示していないが、電源供給部３０は、供給開始を示す信号が入力されると、電源４から制御部３に供給されている直流電流をモータ部２に出力する。
【００５３】
モータ部２に入力された直流電流は、図５に示されるように、モータ部２のモータ２１と信号発生回路２２に入力される。
【００５４】
次に、モータ部２のモータ２１は、直流電流が入力されると駆動し、図５、図７に示されるように、回転軸２０を回転させる（Ｓ３）。
【００５５】
その結果、回転軸２０上のファン１も回転し始める。ファン１が回転すると、対向する電子部品７１に送風がされ、本実施形態の送風装置は、電子部品７１の発熱を抑えることとなる。
【００５６】
また、ファン１が回転したときは、ブラシ１２が回転するので、本実施形態の送風装置は、電子部品７１（ヒートシンク部分）に付着した埃を清掃する（Ｓ４）。ブラシ１２が埃を清掃することを、以下、「クリーニング」という。
【００５７】
さらに、ファン１は、高速回転すると、ファン１自身の風圧にて、回転軸２０上のストッパー２３、２４の位置まで移動する（Ｓ５）。このとき、ブラシ１２も、電子部品７１から離れ、クリーニングが終了する。
【００５８】
その後、本実施形態の送風装置は、ファン１からの送風により電子部品７１を冷却する。送風により電子部品７１（ヒートシンク部分）に埃が付着していく。
【００５９】
（２）ファン１を停止する動作
（動作概略）
次に、本実施形態の送風装置は、ファン１を一定時間駆動したときは、ファン１を停止する。定期的に電子部品７１（ヒートシンク部分）に付着した埃を清掃する為である。本実施形態の送風装置の各部位が、以下の（動作詳細）の通りに動作する。
【００６０】
（動作詳細）
（２−１）ファン１を一定時間駆動したかを判別する動作
まず、信号発生回路２２には、上述のＳ２の処理により直流電流が入力される。
【００６１】
信号発生回路２２は、直流電流が入力されると、所定時間後に、起動する。
【００６２】
所定時間は、上述のＳ２〜Ｓ５の処理が実施される時間（以下、「処理実施時間」という）であり、本実施形態の送風装置の製造者によって信号発生回路２２に設定される。本実施形態の送風装置の製造者は、処理実施時間を実測し、実測した時間を所定時間として信号発生回路２２に設定してもよい。
【００６３】
次に、信号発生回路２２は、起動すると、所定のタイミング毎に、パルス信号を制御部３のカウント部３１に出力する。
【００６４】
上述の所定のタイミングは、一定間隔毎のタイミングであり、本実施形態の送信装置の製造者によって信号発生回路２２に設定される。
【００６５】
次に、制御部３のカウント部３１は、パルス信号が入力されると、図７に示されるように、カウンタ３１０の値を１つインクリメントする（Ｓ６）。
【００６６】
さらに、制御部３のカウント部３１は、インクリメントしたカウンタ３１０の値が、記憶部３１１に記憶される上限値より大きいか否かを判別する（Ｓ７）。
【００６７】
記憶部３１１には、本実施形態の本実施形態の送信装置の製造者によって、カウンタ３１０の上限値が予め設定されている。Ｓ７の判別は、ファン１が一定時間駆動したかを判別するものである。
【００６８】
次に、制御部３のカウント部３１は、カウンタ３１０の値が上限値以下である場合（Ｓ７でＮｏの場合）、次にパルス信号が入力されるのを待つ。パルス信号が入力されると、制御部３のカウント部３１は、再度、Ｓ６、Ｓ７を実施する。
【００６９】
パルス信号は、一定間隔毎に入力されるので、やがてカウンタ３１０の値が上限値より大きくなる。
【００７０】
（２−２）ファン１停止の検知開始を指示
制御部３のカウント部３１は、カウンタ３１０の値が上限値より大きい場合（Ｓ７でＹｅｓの場合）には、まず、検知開始を示す信号を回転監視部５に出力する（Ｓ８）。
【００７１】
当該信号が入力された回転監視部５の動作は、後述の「（３）回転監視部５がファン１の停止を検知する動作」で説明する。
【００７２】
（２−３）ファン１の停止制御
次に、制御部３のカウント部３１は、供給停止を示す信号を電源供給部３０に出力する（Ｓ９）。一定時間駆動したファン１を停止する為である。
【００７３】
次に、図示していないが、電源供給部３０は、供給停止を示す信号が入力されると、電源４からの直流電流をモータ部２に出力するのを停止する。モータ部２のモータ２１は、直流電流が入力されないので、回転軸２０を回転させることができなくなる。その結果、回転軸２０が停止し、回転軸２０上のファン１は、惰性で回転する。
【００７４】
風圧がなくなったファン１は、回転前の位置にやがて戻り、ファン１のブラシ１２が電子部品７１（ヒートシンク部分）に接触してクリーニングを行う（Ｓ１０）。
【００７５】
本実施形態の送風装置は、ファン１を停止することで、電子部品７１に付着する埃を清掃することができる。
【００７６】
Ｓ９を実施した制御部３のカウント部３１は、ファン１が停止したことを示す信号（以下、「停止信号」という）が回転監視部５から入力されたか否かを判別する（Ｓ１１）。
【００７７】
回転監視部５は、ファン１の停止を検知する機能部であり、ファン１の停止を検知したときには、停止信号を出力する。ここでは、ファン１はまだ惰性で回転しており、回転監視部５が、停止信号を出力していないものとして説明を続ける。その場合（Ｓ１１でＮｏの場合）、制御部３のカウント部３１は、Ｓ１１の判別を繰り返す。
【００７８】
なお、上述のＳ１１の判別は、具体的には、以下の通りに行われる。
【００７９】
まず、制御部３のカウント部３１は、レジスタを備え、停止信号が入力されると、レジスタに値８を書き込むライト機能を備える。制御部３のカウント部３１は、上述のライト機能を、他の機能よりも優先して行う。レジスタの初期値は０である。制御部３のカウント部３１は、Ｓ１１として、レジスタの値が値８であるか否かを判別する。
【００８０】
（３）回転監視部５がファン１の停止を検知する動作
ここで、回転監視部５の動作について説明する。
【００８１】
（動作概略）
回転監視部５は、検知開始を示す信号が入力されると、ファン１の停止を検知する機能（マイコン５２）を起動し、当該機能によりファン１の停止が検知されたときには、停止信号を出力する。
回転監視部５の動作の詳細を、以下の（動作詳細）に説明する。
【００８２】
（動作詳細）
回転監視部５は、検知開始を示す信号が入力されると、マイコン５２を起動する。マイコン５２は、磁気センサ５１からの電気信号を受信する。
【００８３】
（３−１）磁気センサ５１について
磁気センサ５１は、磁石１４からの磁気を検出し、その大きさに比例した電気信号を出力するホールセンサである。磁気センサ５１は、ファン１が回転し、一緒に回転する磁石１４が接近したときは、Ｈ（ハイ）レベルの電気信号を出力する。磁石１４が離れていくと、磁気センサ５１は、Ｌ（ロー）レベルの電気信号を出力する。ファン１が連続して回転するとき、磁気センサ５１は、図６の(回転時)上に示されるように、Ｈレベル→Ｌレベル→Ｈレベル→…を繰り返す連続した電気信号（以下、「回転信号」という）を回転監視部５のマイコン５２に出力する。なお、ファン１が停止するときには、磁石１４も動かないので、磁気センサ５１は、連続してＬレベルの電気信号、若しくは連続してＨレベルの電気信号をマイコン５２に出力する。Ｈレベルの電気信号は５Ｖの電気信号であってもよく、Ｌレベルの電気信号は０Ｖの電気信号であってもよい。
【００８４】
（３−２）ファン１の停止を検知する機能
回転監視部５のマイコン５２は、起動した後、磁気センサ５１から受信する電気信号を用いてファン１の停止を検知する。具体的には、回転監視部５のマイコン５２は、監視開始を示す信号が入力されると、所定のタイミング毎に、磁気センサ５１から入力される回転信号のレベルが所定時間連続してＨレベルのままか、若しくは所定時間連続してＬレベルのままか否かを判別する。
【００８５】
回転監視部５のマイコン５２は、磁気センサ５１との間に電圧計を備え、当該電圧計により回転信号のレベルを測定してもよい。上述の所定のタイミングは、一定間隔毎のタイミングであり、本実施形態の送信装置の製造者によってマイコン５２に予め設定される。所定時間も、本実施形態の送信装置の製造者によってマイコン５２に予め設定される。
【００８６】
回転監視部５のマイコン５２は、回転信号のレベルが所定時間連続してＨレベルのままか、若しくは所定時間連続してＬレベルのままの場合には、停止信号を回転監視部５に出力する。
【００８７】
（３−３）ファン１の停止の検知を通知する機能
回転監視部５は、マイコン５２が停止信号を出力すると、当該停止信号を制御部３のカウント部３１に出力する。
【００８８】
上述の回転監視部５の動作により、ファン１が停止したことが、停止信号として制御部３のカウント部３１に通知される。回転監視部５は、停止信号を出力した後は、マイコン５２をスリープ状態とし、次に検知開始を示す信号が入力されるのを待つ。
【００８９】
（３−４）マイコン５２の動作について
回転監視部５のマイコン５２は、回転信号のレベルが所定時間連続してＨレベルではない、若しくは所定時間連続してＬレベルのままではない場合には、ファン１が回転しているものとして、次の所定のタイミングを待つ。
【００９０】
なお、マイコン５２とカウント部３１が接続され、マイコン５２からカウント部３１に停止信号が直接通知されてもよい。
【００９１】
（４）ファン１の停止が確認（検知）され次第、ファン１を再駆動する動作
（動作概略）
回転監視部５のマイコン５２がファン１の停止を検知すると、本実施形態の送風装置は、直ちにファン１を再駆動する。これにより、電子部品に送風されない時間を最小限に収め、電子部品の発熱を十分抑えることができる。上述の動作は、本実施形態の送風装置の各部位が、以下の（動作詳細）の通りに動作することで実現される。
【００９２】
（動作詳細）
まず、制御部３のカウント部３１は、上述のＳ１１で停止信号が回転監視部５から入力されるのを待っている。具体的には、制御部３のカウント部３１は、自身に備わるレジスタの値が値８となるのを待っている。
【００９３】
ここで、惰性で回転していたファン１が停止したとする。そのとき、回転監視部５のマイコン５２は、「（３−３）マイコン５２の動作」で説明した動作により、停止信号を出力する。その結果、制御部３のカウント部３１に、停止信号が回転監視部５から入力される。
【００９４】
制御部３のカウント部３１は、上述のＳ１１の判別において、停止信号が回転監視部５から入力されたと判別する。具体的には、制御部３のカウント部３１は、レジスタの値が値８となったと判別する。
【００９５】
制御部３のカウント部３１は、レジスタの値が値８の場合（Ｓ１１でＹｅｓの場合）、すなわち停止信号が回転監視部５から入力された場合には、まず、レジスタの値を０に初期化する（Ｓ１２）。
【００９６】
そして、制御部３のカウント部３１は、ファン１を再度駆動する為、直ちにＳ１及びＳ２の処理を実施し、供給開始を示す信号を電源供給部３０に出力する（Ｓ２）。
【００９７】
これにより、モータ部２がＳ３〜Ｓ４の処理を実施し、ファン１が再度駆動する。その結果、電子部品７１への送風が再開する。
【００９８】
本実施形態の送風装置は、停止が確認(検知)され次第、速やかにファン１を駆動し、電子部品７１に送風されない時間を最小限に収めるので、電子部品７１の発熱を十分抑えることができる。
【００９９】
（５）動作のバリエーション
図８は、本実施形態の送風装置に備わるモータ部２のその他の構成例を示す図である。
【０１００】
上記では、モータ部２の信号発生回路２２は、一定時間毎にパルス信号を出力した。モータ部２の信号発生回路２２は、ファン１が１回転する毎に、パルス信号を出力してもよい。本実施形態の送風装置は、時間ではなく、ファン１の回転数に基づいてファン１の停止を実施してもよく、それを実現する為である。
【０１０１】
信号発生回路２２がファン１の回転毎にパルス信号を出力できるよう、モータ部２は、図８に示されるように、磁石１４と、磁気センサ５１と、マイコン２７と、を備える。磁石１４は、回転軸２０上に備わる。磁気センサ５１は、回転軸２０と共に回転する磁石１４が最も接近したときに、磁石１４から磁気を受ける位置に備わる。磁気センサ５１とマイコン２７は、図示していないが、電源供給部３０と接続され、電源供給部３０から直流電流が入力されると起動する。
【０１０２】
信号発生回路２２は、直流電流が入力されたとき、監視開始を示す信号をマイコン２７に出力する。マイコン２７は、監視開始を示す信号が入力されると、磁気センサ５１から入力される電気信号がＨレベル→Ｌレベル→Ｈレベルと遷移する毎に、ファン回転を示す電気信号を信号発生回路２２に出力する。信号発生回路２２は、ファン回転を示す電気信号が入力される毎に、パルス信号をカウント部３のカウント部３１に出力する。その結果、制御部３のカウント部３１は、ファン１が１回転する毎に、カウンタ３１０をカウントアップすることができる。カウンタアップされたカウンタ３１０は、上述のＳ７の処理にて使用される。制御部３のカウント部３１は、Ｓ７の処理においてカウンタ３１０の値（ファン１の回転数）が、記憶部３１１に記憶される上限値よりも大きいときに、Ｓ８、Ｓ９の処理を実施し、ファン１を停止する。本実施形態の送風装置は、ファン１の回転数に基づいてファン１の停止を実施する。
【０１０３】
［効果の説明］
本実施形態によれば、送風装置は、対向する電子部品（ヒートシンク部分）に埃が付着し続けることを防止すると共に、当該電子部品の発熱を十分抑えることができる。
【０１０４】
なぜならば、本実施形態の送風装置は、停止時に電子部品の埃を清掃するファンを備え、当該ファンの駆動と停止を繰り返すことで電子部品に埃が付着することを防止すると共に、ファンの停止を検知次第、速やかにファンの駆動を再開するからである。その結果、本実施形態の送風装置は、電子部品に送風されない時間を最小限に収め、電子部品の発熱を十分抑えることができる。すなわち、本実施形態の送風装置は、電子部品に埃が付着し続けることを防止すると共に、電子部品の発熱を十分抑えることができる。
【０１０５】
≪第２の実施の形態≫
次に、本発明の第２の実施の形態について説明する。
【０１０６】
モータ２１の駆動が停止してから、惰性で回転するファン１が停止するまでの時間（以下、「停止時間」という）は一定である。そこで、第２の実施形態の送風装置は、モータ２１の駆動を停止した後、一定時間（具体的には停止時間）経過したときに、ファン１を再駆動する。その結果、第２の実施形態の送風装置は、ファン１が停止したタイミングにファン１を再駆動することができる。
【０１０７】
第２の実施形態の送風装置は、第１の実施形態の送風装置の変形例である。第２の実施形態の送風装置の構成と動作を以下に説明する。図９は、本発明の第２の実施の形態における送風装置の構成例を示す図である。
【０１０８】
［構成の説明］
（１）第２の実施形態の送風装置の構成
第２の実施形態の送風装置は、図９に示されるように、制御部３の代わりに、制御部６を備える。制御部６は、カウント部３１の代わりに、カウント部６１を備える。カウント部６１は、時間計測部６１１を備える。
【０１０９】
時間計測部６１１には、モータ２１の駆動が停止してから、（惰性で回転する）ファン１が停止するまでの停止時間が、本実施形態の送風装置の製造者によって予め設定される。具体的には、時間計測部６１１には、カウント部６１がＳ９を実施して供給停止を示す信号を出力した時からファン１が停止した時までの停止時間が、本実施形態の送風装置の製造者によって設定される。本実施形態の送風装置の製造者は、上述の停止時間を実測して時間計測部６１１に設定する。
【０１１０】
なお、第２の実施形態の送風装置は、回転監視部５の機能を使用しない為、回転監視部５を備えなくてもよい。
【０１１１】
上述した以外の構成は、第１の実施の形態における送風装置と同じであるので、同一の符号を付して説明を省略する。時間計測部６１１は、マイコンと、ＲＡＭ等のメモリと、電子回路を用いて実現することができる。
【０１１２】
[動作の説明]
次に、本実施形態の送風装置の動作を説明する。図１０は、本発明の第２の実施の形態における送風装置の動作を説明する為の図である。
【０１１３】
まず、本実施形態の送風装置は、図１０に示されるように、上述のＳ１〜Ｓ７を実施する。
【０１１４】
次に、本実施形態の送風装置は、上述のＳ７において、カウンタ３１０の値が、記憶部３１１に記憶される上限値より大きいと判別した場合（Ｓ７でＹｅｓの場合）には、Ｓ９の処理を実施し、供給停止を示す信号を電源供給部３０に出力する（Ｓ９）。
【０１１５】
Ｓ９の処理により、モータ２１の駆動が停止する。ファン１は、惰性で回転している。
【０１１６】
次に、Ｓ９の後、制御部６のカウント部６１は、時間計測部６１１を起動する（Ｓ２０）。カウント部６１の時間計測部６１１は、計時機能を備えており、起動すると、計時機能により時間の計測を開始する。
【０１１７】
次に、カウント部６１の時間計測部６１１は、計時機能により計測される時間が、設定されている停止時間に達したか否かを判別する（Ｓ２１）。
【０１１８】
停止時間は、モータ２１の駆動が停止してから、惰性で回転するファン１が停止するまでの時間（実測値）である。すなわち、停止時間は、ファン１が停止するタイミングを示す値である。カウント部６１の時間計測部６１１は、Ｓ２１の判別を行うことで、ファン１が停止するタイミングとなったか否かを判別している。Ｓ２１の判別は、上述のＳ１０と並行して実施される。
【０１１９】
次に、カウント部６１の時間計測部６１１は、計時機能により計測される時間が停止時間に達していない場合（Ｓ２１でＮｏの場合）には、Ｓ２１の判別を繰り返し実施し、ファン１が停止するタイミングになるのを待つ。
【０１２０】
やがて、計時機能により計測される時間が停止時間となり、ファン１が停止するタイミングになる。
【０１２１】
カウント部６１の時間計測部６１１は、計時機能で計測される時間が停止時間に達した場合（Ｓ２１でＹｅｓの場合）、すなわち、ファン１が停止するタイミングになった場合には、停止タイミング到達を示す信号をカウント部６１本体に出力する（Ｓ２２）。
【０１２２】
そのとき、惰性で回転していたファン１が停止しており、電子部品７１（ヒートシンク部分）もクリーニングが行われている。
【０１２３】
カウント部６１本体は、停止タイミング到達を示す信号が時間計測部６１１から入力されると、Ｓ１２を実施した上でＳ１に戻り、ファン１を再駆動する。
【０１２４】
上述の動作により、本実施形態の送風装置は、ファン１が停止するタイミングになったときに、ファン１を再駆動する。
【０１２５】
上述した以外の動作は、第１の実施形態の送風装置と同じであるので、同一の符号を付して説明を省略する。
【０１２６】
なお、制御部６のカウント部６１は、上述のＳ２０の処理（時間の計測開始）を、Ｓ９の処理を実施した時点から十分長い時間（以下、「経過時間」という）経過したタイミング（以下、「計測開始タイミング」という）から実施してもよい。上述の経過時間は、Ｓ９の処理を実施した時点からファン１が停止するタイミングまでの時間（すなわち、停止時間）よりも短い時間である。但し、その場合、本実施形態の送風装置の製造者は、ファン１停止のタイミングで到達を示す信号が時間計測部６１１から出力されるようにする為、上述の停止時間から経過時間を差し引いた時間を、新たな停止時間として時間計測部６１１に予め設定する。
【０１２７】
［効果の説明］
本実施形態によれば、送風装置は、第１の実施形態の送風装置と同じ効果を有する。すなわち、本実施形態の送風装置は、対向する電子部品（ヒートシンク部分）に埃が付着し続けることを防止すると共に、当該電子部品の発熱を十分抑えることができる。
【０１２８】
なぜなら、本実施形態の送風装置は、第１の実施形態の送風装置と同様にファンの駆動と停止を繰り返すことで電子部品に埃が付着することを防止すると共に、ファンが停止するタイミングとなり次第、速やかにファンの駆動を再開するからである。
【０１２９】
なお、本実施形態の送風装置は、時間計測部６１１を新たに備えるが、部品点数の多い監視開始部５を備える必要がない為、第１の実施形態の送風装置よりも製造コストが低減できることが期待される。
【０１３０】
≪第３の実施の形態≫
次に、本発明の第３の実施の形態について説明する。
【０１３１】
第３の実施形態の送風装置は、ファン１停止に係る所定のイベント（例えば、ファン１を停止させる信号出力後、ファン１の回転数が半分となったこと）を検出する。第３の実施形態の送風装置は、所定のイベントを検出したときは、ファン１が停止するタイミングを推定し、推定したタイミングにファン１を停止する。
【０１３２】
第３の実施形態の送風装置は、第１、２の実施形態の送風装置の変形例である。以下に、第３の実施形態の送風装置の構成と動作を以下に説明する。
【０１３３】
［構成の説明］
（１）第３の実施形態の送風装置の構成
図１１は、本発明の第３の実施の形態における送風装置の構成例を示す図である。
【０１３４】
第３の実施形態の送風装置は、図１１に示されるように、制御部３の代わりに、制御部８を備える。制御部８は、カウント部３１の代わりに、カウント部８１を備える。カウント部８１は、イベント検出部８１１を備える。
【０１３５】
また、第３の実施形態の送風装置は、回転数カウント部９を備える。図１２は、本発明の第３の実施の形態における送風装置に備わる回転数カウント部の構成例を示す図である。回転数カウント部９は、図１２に示されるように、磁気センサ５１と、マイコン９８を備える。マイコン９８は、イベント検出部８１１と導線を介して接続される。
【０１３６】
上述した以外の構成は、第１の実施の形態における送風装置と同じであるので、同一の符号を付して説明を省略する。イベント検出部８１１は、マイコンと、ＲＡＭ等のメモリと、電子回路を用いて実現することができる。
【０１３７】
[動作の説明]
次に、本実施形態の送風装置の動作を説明する。図１３は、本発明の第３の実施の形態における送風装置の動作を説明する為の図である。
【０１３８】
まず、本実施形態の送風装置は、第１、第２の実施形態の送風装置の処理と同様、図１３に示されるように、上述のＳ１〜Ｓ７を実施する。
【０１３９】
次に、本実施形態の送風装置は、上述のＳ７において、カウンタ３１０の値が、記憶部３１１に記憶される上限値より大きいと判別した場合（Ｓ７でＹｅｓの場合）には、Ｓ９の処理を実施する（Ｓ９）。
【０１４０】
その結果、カウント部供給停止を示す信号がカウント部８１から電源供給部３０に出力され、モータ２１の駆動が停止する。ファン１は、惰性で回転する。
【０１４１】
Ｓ９の後、制御部６のカウント部６１は、イベント検出開始を示す信号をイベント検出部８１１に出力する（Ｓ３０）。
【０１４２】
（１）イベント検出動作
次に、イベント検出部８１１は、イベント検出開始を示す信号が入力されると、イベントが発生したか否か（すなわち、供給停止を示す信号が出力されたときからファン１の回転数が半分以下になったか）否かを判別する（Ｓ３１）。
【０１４３】
具体的には、イベント検出部８１１は、以下の処理Ａ〜処理Ｄを実施する。
【０１４４】
（処理Ａ）
イベント検出部８１１は、イベント検出開始を示す信号が入力されると、所定時間の間、図１２に示されるマイコン９８から、ファン回転を示す信号が入力される回数をカウントする。
【０１４５】
マイコン９８は、図８に示すマイコン２７と同じく、磁気センサ５１から入力される電気信号がＨレベル→Ｌレベル→Ｈレベルと遷移する毎に、（すなわち、ファンが１回転する毎に、）ファン回転を示す信号をイベント検出部８１１に出力するマイコンである。イベント検出部８１１は、カウンタを備え、マイコン９８からファン回転を示す信号が入力される毎に、カウンタをカウントアップする。イベント検出部８１１は、所定時間経過すると、次の（処理Ｂ）を行う。所定時間は、本実施形態の送風装置の製造者によってイベント検出部８１１に設定される。
【０１４６】
（処理Ｂ）
イベント検出部８１１は、カウントした回数を記憶する。
【０１４７】
記憶した回数は、供給停止を示す信号が出力されたときのファン１の回転数であり、以下「初期回転数」という。
【０１４８】
（処理Ｃ）
次に、イベント検出部８１１は、カウントした値を０に戻した上で、再度、上述の（処理Ａ）を行い、ファンが回転した回数をカウントする。
【０１４９】
（処理Ｄ）
次に、イベント検出部８１１は、（処理Ｃ）でカウントした回数が、初期回転数の半分以下となったか否かを判別する。
【０１５０】
（２）イベント検出していないときの動作
次に、イベント検出部８１１は、上述のＳ３１の判別において、イベントが発生していない場合（Ｓ３１でＮｏの場合）、再度Ｓ３１の判別処理を行う。
【０１５１】
具体的には、イベント検出部８１１は、（処理Ｄ）において、カウントした回数が、初期回転数の半分以下でないと判別した場合には、再度、上述の（処理Ｃ）と（処理Ｄ）を実施する。
【０１５２】
（３）イベント発生時の動作（ファン１停止タイミングの推定）
ファン１の回転数が徐々に落ちてくる。
【０１５３】
次に、イベント検出部８１１は、上述のＳ３１の判別において、イベントが発生したと判別した場合（Ｓ３１でＹｅｓの場合）、ファン１が停止するタイミングを推定する（Ｓ３２）。
【０１５４】
具体的には、イベント検出部８１１は、（処理Ｄ）において、カウントした回数が、初期回転数の半分以下と判別した場合には、ファン１が停止するタイミングを推定する。
【０１５５】
イベント検出部８１１は、ファン１が停止するタイミングの推定を、以下のように実施することができる。
【０１５６】
まず、イベント検出部８１１は、時計機能とメモリを備える。イベント検出部８１１は、カウントした回数が初期回転数の半分以下である場合には、時計機能が計る現在の時刻に、自身に備わるメモリに記憶されている時間を加算した時刻（以下、「停止時刻」という）を算出する。イベント検出部８１１のメモリには、ファン１の回転数が半分になったときからファン１が停止するまでの残時間が、本実施形態の送風装置の製造者によって予め設定されている。本実施形態の送風装置の製造者は、上述の残時間を実測してイベント検出部８１１のメモリに設定する。
【０１５７】
（４）イベント発生時の動作（推定したファン１停止タイミングまで待つ動作）
次に、イベント検出部８１１は、推定したファン１が停止するタイミングとなったか否かを判別する（Ｓ３３）。
【０１５８】
具体的には、イベント検出部８１１は、自身に備わる時計機能が計る時刻が、算出した停止時刻であるか否かを判別する。
【０１５９】
イベント検出部８１１は、推定したファン１が停止するタイミングとなっていない場合（Ｓ３３でＮｏの場合）、すなわち、時計機能が計る時刻が停止時刻ではない場合は、再度Ｓ３３の処理を実施する。
【０１６０】
（５）イベント発生時の動作（ファン１再駆動動作）
次に、イベント検出部８１１は、推定したファン１が停止するタイミングとなった場合（Ｓ３３でＹｅｓの場合）、すなわち、時計機能が計る時刻が停止時刻である場合は、停止タイミング到達を示す信号をカウント部８１に出力する（Ｓ３４）。
【０１６１】
カウント部８１は、停止タイミング到達を示す信号がイベント検出部８１１から入力されると、Ｓ１２を実施した上でＳ１に戻り、ファン１を再駆動する。
【０１６２】
上述の動作により、本実施形態の送風装置は、ファン１が停止するタイミングに、ファン１を再駆動することができる。
【０１６３】
（６）所定のイベントについて
上記では、所定のイベントが、ファン１の回転数が半分以下となったときであるものとして説明した。所定のイベントは、供給停止を示す信号が出力されたときからファン１が停止するまでに発生するイベントであれば、どのようなイベントであってもよい。
【０１６４】
例えば、所定のイベントは、供給停止を示す信号が出力されたときであってもよい。その場合、イベント検出部８１１は、供給停止を示す信号が出力されたことを検出する。その為に、イベント検出部８１１は、制御部３のカウント部８１と電源供給部３０とを接続する導線に接続され、出力された供給停止を示す信号を受信してもよい。イベント検出部８１１は、供給停止を示す信号を受信したときに、Ｓ３１において、供給停止を示す信号が出力されたことを検出した（すなわち、イベントが発生した）とみなして、Ｓ３２を実施する。
【０１６５】
（７）回転数の減少量について
イベント検出部８１１は、上述のＳ３１において、ファン１の回転数が半分以下になったか否かを判別した。イベント検出部８１１は、ファン１の回転数が１／４以下になったか否かを判別してもよいし、１／８以下になったか否かを判別してもよい。すなわち、イベント検出部８１１は、ファン１の回転数が所定量以下に減少したか否かを判別してもよい。所定量は、本実施形態の送風装置の製造者が決定する。
【０１６６】
ファン１の回転数が所定量以下に減少したか否かを判別するために、イベント検出部８１１は、上述の（処理Ｄ）において、（処理Ｃ）でカウントした回数が、初期回転数の所定量（例えば、１／４や１／８）以下となったか否かを判別する。イベント検出部８１１は、Ｓ３２において、（処理Ｃ）でカウントした回数が、初期回転数の所定量（例えば、１／４や１／８）以下である場合には、ファン１が停止するタイミングを推定する。なお、本実施形態の送風装置の製造者は、イベント検出部８１１のメモリに、ファン１の回転数が所定量減少したときからファン１が停止するまでの残時間を設定するものとする。
【０１６７】
上述した以外の動作は、第１の実施形態の送風装置と同じであるので、同一の符号を付して説明を省略する。
【０１６８】
［効果の説明］
本実施形態によれば、送風装置は、第１の実施形態の送風装置と同じ効果を有する。すなわち、本実施形態の送風装置は、対向する電子部品（ヒートシンク部分）に埃が付着し続けることを防止すると共に、当該電子部品の発熱を十分抑えることができる。
【０１６９】
なぜなら、本実施形態の送風装置は、第１の実施形態の送風装置と同様にファンの駆動と停止を繰り返すことで電子部品に埃が付着することを防止すると共に、ファンが停止するタイミングとなり次第、速やかにファンの駆動を再開するからである。
【０１７０】
≪第４の実施の形態≫
次に、本発明の第４の実施の形態について説明する。
【０１７１】
図１４は、本発明の第４の実施の形態における送風装置の構成例を示す図である。以下に、第４の実施の形態の送風装置の構成と動作について説明する。
【０１７２】
［構成の説明］
（１）第４の実施形態の送風装置の構成
第４の実施形態の送風装置は、図１１に示されるように、ファン１００と、駆動部１０１と、停止指示部１０２と、停止検出部１０３と、再駆動指示部１０４と、を備える。
【０１７３】
第４の実施形態の送風装置は、ファン１００の駆動により対向物１５０に送風する装置である。また、第４の実施形態の送風装置は、ファン１００の停止時に対向物１５０の埃を払う装置である。その為に、ファン１００は、対向物１５０の埃を払うブラシを先端に備え、駆動すると対向物１５０から離れ、停止すると対向物１５０に接触する機構を備えたファンであってもよい。
【０１７４】
（２）第４の実施形態の送風装置の各部位の機能
駆動部１０１は、ファン１００を駆動する。駆動部１０１は、停止を指示する第１の信号が入力されるとファン１００を停止し、駆動再開を指示する第２の信号が入力されるとファン１００を再駆動する。
【０１７５】
停止指示部１０２は、ファン１００の駆動時間を計測する。停止指示部１０２は、計測する駆動時間が第１の所定時間に達したときには、停止を指示する第１の信号を駆動部１０１に出力する。第１の所定時間は、本実施形態の送風装置の製造者によって設定されてもよい。
【０１７６】
停止検出部１０３は、ファン１００の停止に係る所定のイベントを検出すると、ファン１００が停止する停止タイミングを決定する。
【０１７７】
所定のイベントは、停止を指示する第１の信号を停止指示部１０２が出力してからファン１００が停止するまでに発生するイベントである。所定のイベントは、例えば、ファン１００の停止、停止を指示する第１の信号が駆動部１０１に出力されたとき、又は、第１の信号が出力されたときからファン１００の回転数が所定量減少したときであってもよい。所定量は、例えば、１／２であってもよいし、１／４であってもよい。
【０１７８】
再駆動指示部１０４は、停止タイミング又は停止タイミング近傍で、駆動再開を指示する第２の信号を駆動部１０１に出力する。
【０１７９】
停止タイミング近傍とは、停止タイミング直前、直後のタイミングである。但し、対向物１５０の埃を払っていないのに、ファン１００が再駆動してしまわないよう、当該タイミングは、本実施形態の送風装置が対向物１５０の埃を払うことができるタイミングである。
【０１８０】
なお、駆動部１０１、停止指示部１０２、及び停止検出部１０３は、各々、第１の実施形態の送風装置のモータ部２、カウント部３１、回転監視部５に相当する機能部である。停止検出部１０３は、第２の実施形態の送風装置の時間計測部６１１や第３の実施形態の送風装置のイベント検出部８１１に相当する機能部でもある。再駆動指示部１０４は、第１の実施形態の送風装置のカウント部３１や第２、第３の実施形態の送風装置のカウント部６１、８１に相当する機能部である。
【０１８１】
[動作の説明]
（１）動作の説明
次に、本実施形態の送風装置の動作を説明する。ここでは所定のイベントが、ファン１００の停止である場合を例に説明を行う。
【０１８２】
まず、駆動部１０１が、ファン１００を駆動する。
【０１８３】
これにより、ファン１００の駆動により対向物１５０に送風がされ、対向物１５０は冷却される。
【０１８４】
次に、停止指示部１０２は、ファン１００の駆動時間を計測する。
【０１８５】
次に、停止指示部１０２は、計測する駆動時間が第１の所定時間に達したときには、停止を指示する第１の信号を駆動部１０１に出力する。
【０１８６】
次に、駆動部１０１は、停止を指示する第１の信号が入力されるとファン１００を停止する。
【０１８７】
このとき、本実施形態の送風装置は、対向物１５０の埃を払う。
【０１８８】
次に、停止検出部１０３が、ファン１００の停止に係る所定のイベント（具体的には、ファン１００の停止）を検出する。
【０１８９】
次に、停止検出部１０３は、ファン１００の停止を検出すると、ファン１００が停止する停止タイミングを決定する。
【０１９０】
具体的には、停止検出部１０３は、ファン１００の停止を検出すると、その時が停止タイミングと決定する。
【０１９１】
次に、再駆動指示部１０４は、（停止検出部１０３が）決定した停止タイミング又は該停止タイミング近傍で、駆動再開を指示する第２の信号を駆動部１０１に出力する。
【０１９２】
次に、駆動部１０１は、駆動再開を指示する第２の信号が入力されるとファン１００を再駆動する。
【０１９３】
その結果、本実施形態の送風装置は、ファン１００停止直後に、ファン１００を再駆動することができる。ファン１００の再駆動により対向物１５０に送風がされ、即座に対向物１５０が冷却される。
【０１９４】
その後、本実施形態の送風装置は、上述の動作を繰り返す。
【０１９５】
すなわち、停止指示部１０２は、計測する駆動時間が所定時間に達したときには、第１の信号を駆動部１０１に出力し、駆動部１０１は、第１の信号が入力されるとファン１００を停止する。次に、再駆動指示部１０４は、停止検出部１０３がファンの停止を検出したときは、ファン１００が停止する停止タイミングを決定する。駆動部１０１は、ファン１００が停止する停止タイミングにファン１００を再駆動する。本実施形態の送風装置は、ファン１００停止直後にファン１００を再駆動する動作を繰り返す。
【０１９６】
（２）動作の変形例（その１）
上記では、所定のイベントが、ファン１００の停止である場合を例に説明を行ったがこれに限らない。所定のイベントは、ファン１００の回転数が所定量減少したことであってもよい。その場合、本実施形態の送風装置は、ファン１００の回転数が所定量減少したことを検出する。該送風装置（以下、「本実施形態の送風装置Ｂ」という）は、ファン１００の回転数が所定量減少したことを検出すると、停止タイミングを決定し、決定した停止タイミングにファン１００を再駆動する。その結果、本実施形態の送風装置Ｂは、ファン１００停止時にファン１００を再駆動することができる。
【０１９７】
ここで、上述の「（１）動作の説明」で説明した送風装置（以下、「本実施形態の送風装置Ａ」という）に対する本実施形態の送風装置Ｂのメリットについて説明する。
【０１９８】
まず、本実施形態の送風装置Ａは、ファン１００の停止を検出した後にファン１００を再駆動する。その為、本実施形態の送風装置Ａは、停止タイミング（すなわち、ファン１００が停止した時）から僅かに遅れてファン１００の再駆動を実施してしまうというデメリットがある。
【０１９９】
しかし、本実施形態の送風装置Ｂは、停止タイミングになるのを待ち、停止タイミングちょうどに、ファン１００を再駆動することができる。その為、本実施形態の送風装置Ｂは、停止タイミングから遅延することなく、ファン１００の再駆動を実施できるというメリットを有する。その結果、本実施形態の送風装置Ｂは、本実施形態の送風装置Ａよりも早くファン１００を再駆動し、より十分に対向物１５０の発熱を抑えることができるというメリットを有する。
【０２００】
（３）動作の変形例（その２）
さらに、所定のイベントは、停止指示部１０２が駆動部１０１に停止を指示したこと、具体的には、停止指示部１０２から第１の信号が駆動部１０１に出力されたことであってもよい。
【０２０１】
その場合、本実施形態の送風装置は、停止指示部１０２から第１の信号が出力されたことを検出する。該送風装置（以下、「本実施形態の送風装置Ｃ」という）は、停止指示部１０２から第１の信号が出力されたことを検出すると、停止タイミングを決定し、決定した停止タイミングにファン１００を再駆動する。その結果、本実施形態の送風装置Ｃは、ファン１００停止時にファン１００を再駆動することができる。
【０２０２】
本実施形態の送風装置Ｃは、本実施形態の送風装置Ｂと同様に、停止タイミングちょうどに、ファン１００を再駆動することができる。その為、本実施形態の送風装置Ｃは、本実施形態の送風装置Ｂと同様に、ファン１００の再駆動が遅延しないというメリットが有する。
【０２０３】
さらに、本実施形態の送風装置Ｃは、本実施形態の送風装置Ｂに対して顕著なメリットを有する。以下、本実施形態の送風装置Ｂに対する本実施形態の送風装置Ｃのメリットについて説明する。
【０２０４】
まず、本実施形態の送風装置Ｂにおける停止検出部１０３は、その機能（ファン１００の回転数が所定量減少したことを検出する機能）が他の機能部の機能と異なっている。その為、本実施形態の送風装置Ｂは、他の機能部の部品をそのまま流用して停止検出部１０３を構成することができない。その結果、本実施形態の送風装置Ｂは、製造コストがかかるというデメリットがある。
【０２０５】
しかし、本実施形態の送風装置Ｃにおける停止検出部１０３の機能（停止指示部１０２から第１の信号が出力されたことを検出する機能）は、駆動部１０１で実現されている。駆動部１０１は、第１の信号が入力されたことを検出、すなわち停止指示部１０２から第１の信号が出力されたことを検出している。その為、本実施形態の送風装置Ｃは、駆動部１０１の部品をそのまま流用して停止検出部１０３を構成することができる。その結果、本実施形態の送風装置Ｃは、装置の製造コストを低減することができるというメリットを有する。
【０２０６】
なお、本実施形態の送風装置Ｃの停止検出部１０３には、第１の信号が入力される必要がある。その為に、本実施形態の送風装置Ｃの停止検出部１０３は、停止指示部１０２と駆動部１０１間の導線に接続されてもよい。
【０２０７】
（４）再駆動指示部１０４について
再駆動指示部１０４は、停止タイミング直前であっても、本実施形態の送風装置が対向物１５０の埃を払っているのであれば、駆動再開を指示する第２の信号を駆動部１０１に出力してもよい。その場合、ファン１００が連続して駆動し続けるので、本実施形態の送風装置は、対向物１５０の発熱を一層抑えることができる。
【０２０８】
［効果の説明］
本実施形態によれば、送風装置は、対向する対向物１５０に埃が付着し続けることを防止すると共に、当該対向物１５０の発熱を十分抑えることができる。
【０２０９】
なぜならば、本実施形態の送風装置は、ファン１００の駆動と停止を繰り返すことで対向物１５０の埃を定期的に払うと共に、ファン１００停止を検出次第、速やかにファン１００を駆動するからである。若しくは、本実施形態の送風装置は、ファン１００の停止タイミング又は停止タイミング近傍で、速やかにファン１００を駆動するからである。その結果、本実施形態の送風装置は、対向物１５０に送風されない時間を最小限に収め、対向物１５０の発熱を十分抑えることができる。すなわち、本実施形態の送風装置は、対向物１５０に埃が付着し続けることを防止すると共に、対向物１５０の発熱を十分抑えることができる。
【０２１０】
なお、上述した実施の形態は、その形態に限定されるものではなく、実施段階ではその要旨を逸脱しない範囲で種々変更可能である。
【０２１１】
さらに、上記の各実施形態の一部又は全部は、以下の付記のようにも記載されうるが、以下には限られない。
（付記１）
ファンの駆動により対向物に送風し、ファンの停止時に前記対向物の埃を払う装置であって、
前記ファンを駆動する駆動部と、
計測する前記ファンの駆動時間が第１の所定時間に達したときには、停止を指示する第１の信号を前記駆動部に出力する停止指示部と、
前記ファンの停止に係る所定のイベントを検出すると、前記ファンが停止する停止タイミングを決定する停止検出部と、
前記停止タイミング又は前記停止タイミング近傍で、駆動再開を指示する第２の信号を前記駆動部に出力する再駆動指示部と、を備え、
前記駆動部は、前記第１の信号が入力されると前記ファンを停止し、前記第２の信号が入力されると前記ファンを再駆動する、
を備えることを特徴とする送風装置。
（付記２）
前記所定のイベントは、前記停止指示部が第１の信号を出力してから前記ファンが停止するまでに発生するイベントである、
ことを特徴とする付記１に記載の送風装置。
（付記３）
前記所定のイベントは、前記ファンの停止である、
ことを特徴とする付記１乃至２のいずれか１項に記載の送風装置。
（付記４）
前記ファンは、回転するプロペラに磁石を備えるファンであって、
前記停止検出部は、前記停止指示部が前記第１の信号を出力した後、前記磁石からの磁気の強弱が第２の所定時間、所定範囲内であるか否かを判別することで、前記ファンの停止を検出する、
ことを特徴とする付記３に記載の送風装置。
（付記５）
前記停止検出部は、前記プロペラと共に回転する前記磁石が近接したときに前記磁石から磁力を受ける位置に備わる磁気センサと、制御回路と、を備え、
前記磁気センサが、前記磁石からの磁気の強弱を電気信号として前記制御回路に出力し、
前記制御回路が、前記磁気センサから入力される電気信号の信号レベルが前記第２の所定時間、所定範囲内であるか否かを判別することで、前記ファンの停止を検出する、
ことを特徴とする付記４に記載の送風装置。
（付記６）
前記所定のイベントは、前記停止指示部から前記第１の信号が出力されたことである、
ことを特徴とする付記１乃至２のいずれか１項に記載の送風装置。
（付記７）
前記所定のイベントは、前記ファンの回転数が所定量減少したことである、
ことを特徴とする付記１乃至２のいずれか１項に記載の送風装置。
（付記８）
前記停止検出部は、前記所定のイベントを検出した以降の所定の計測開始タイミングから計測する計測時間が、前記計測開始タイミングから前記ファンが停止するまでの第３の所定時間に達したとき、停止を示す信号を出力し、
前記再駆動指示部は、前記停止を示す信号が前記停止検出部から入力されたときに、前記第２の信号を前記駆動部に出力する、
ことを特徴とする付記６乃至７のいずれか１項に記載の送風装置。
（付記９）
前記停止指示部は、時計機能を備え、前記所定のイベントを検出したとき、前記時計機能によって計測される時刻に、前記所定のイベント検出から前記ファンが停止するまでの第４の所定時間を加算した前記停止タイミングを算出する、
ことを特徴とする付記６乃至７のいずれか１項に記載の送風装置。
（付記１０）
前記停止指示部は、前記ファンが回転した数を数えるカウント部を備え、前記数が所定数よりも大きい場合には、前記第１の信号を前記駆動部に出力する、
ことを特徴とする付記１乃至９のいずれか１項に記載の送風装置。
（付記１１）
前記対向物は、電子回路である、
ことを特徴とする付記１乃至１０のいずれか１項に記載の送風装置。
（付記１２）
前記電子回路は、ヒートシンクを備えた電子回路である、
ことを特徴とする付記１１に記載の送風装置。
（付記１３）
ファンの駆動により対向物に送風し、ファンの停止時に前記対向物の埃を払う装置の送風方法であって、
前記ファンを駆動する駆動ステップと、
計測する前記ファンの駆動時間が第１の所定時間に達したときには、前記ファンを停止する停止制御を行う停止ステップと、
前記ファンの停止に係る所定のイベントを検出すると、前記ファンが停止する停止タイミングを決定する停止検出ステップと、
前記停止タイミング又は前記停止タイミング近傍で、前記ファンを再駆動する再駆動ステップと、を有する、
ことを特徴とする送風方法。
（付記１４）
前記所定のイベントは、前記停止制御が行われてから前記ファンが停止するまでに発生するイベントである、
ことを特徴とする付記１３に記載の送風方法。
（付記１５）
前記所定のイベントは、前記ファンの停止である、
ことを特徴とする付記１３乃至１４のいずれか１項に記載の送風方法。
（付記１６）
前記ファンは、回転するプロペラに磁石を備えるファンであって、
前記停止検出ステップにおいては、前記停止ステップが実施された後、前記磁石からの磁気の強弱が第２の所定時間、所定範囲内であるか否かを判別することで、前記ファンの停止を検出する、
ことを特徴とする付記１５に記載の送風方法。
（付記１７）
前記停止検出ステップは、磁気検知ステップと、制御ステップと、を有し、
前記磁気検知ステップにおいては、前記プロペラと共に回転する前記磁石が近接したときに前記磁石から磁力を受ける位置に備わる磁気センサによって計測された前記磁石からの磁気の強弱を電気信号として出力し、
前記制御ステップにおいては、前記磁気検知ステップによって出力された前記電気信号の信号レベルが前記第２の所定時間、所定範囲内であるか否かを判別することで、前記ファンの停止を検出する、
ことを特徴とする付記１６に記載の送風方法。
（付記１８）
前記所定のイベントは、前記停止制御が実施されたことである、
ことを特徴とする付記１３乃至１４のいずれか１項に記載の送風方法。
（付記１９）
前記所定のイベントは、前記ファンの回転数が所定量減少したことである、
ことを特徴とする付記１３乃至１４のいずれか１項に記載の送風方法。
（付記２０）
前記停止検出ステップにおいては、前記所定のイベントを検出した以降の所定の計測開始タイミングから計測する時間が、前記計測開始タイミングから前記ファンが停止するまでの第３の所定時間に達したとき、停止を示す信号を出力し、
前記再駆動ステップにおいては、前記停止検出ステップにより前記停止を示す信号が出力されたとき、前記ファンを再駆動する、
ことを特徴とする付記１８乃至１９のいずれか１項に記載の送風方法。
（付記２１）
前記停止指示ステップにおいては、前記所定のイベントを検出したとき、前記所定のイベント検出から前記ファンが停止するまでの第４の所定時間を現在の時刻に加算した前記停止タイミングを算出する、
ことを特徴とする付記１８乃至１９のいずれか１項に記載の送風方法。
（付記２２）
前記停止ステップは、前記ファンが回転した数を数えるカウントステップを有し、前記カウントステップにおいて数えられた数が所定数よりも大きい場合に、前記ファンを停止する、
ことを特徴とする付記１３乃至２１のいずれか１項に記載の送風方法。
【符号の説明】
【０２１２】
１、１００    ファン
２    モータ部
３、６、８    制御部
４    電源
５    回転監視部
９    回転数カウント部
１１    プロペラ
１２、９４    ブラシ
１３    軸受
１４    磁石
２０    回転軸
２１    モータ
２２    信号発生回路
２３〜２６    ストッパー
２７、５２、９８    マイコン
３０    電源供給部
３１、６１、８１    カウント部
５１    磁気センサ
７１    電子部品
９１    冷却ファン
９２    駆動源
９３    スプリング
９５    メッシュ
１０１    駆動部
１０２    停止指示部
１０３    停止検出部
１０４    再駆動指示部
１５０    対向物
３１０    カウンタ
３１１    記憶部
６１１    時間計測部
８１１    イベント検出部
【図１】
0006363582.tif 000002
【図２】
0006363582.tif 000003
【図３】
0006363582.tif 000004
【図４】
0006363582.tif 000005
【図５】
0006363582.tif 000006
【図６】
0006363582.tif 000007
【図７】
0006363582.tif 000008
【図８】
0006363582.tif 000009
【図９】
0006363582.tif 000010
【図１０】
0006363582.tif 000011
【図１１】
0006363582.tif 000012
【図１２】
0006363582.tif 000013
【図１３】
0006363582.tif 000014
【図１４】
0006363582.tif 000015